(57)【要約】【課題】耐振性・耐衝撃性に優れた電子機器を得ることにある。【解決手段】電子機器は、カバーからシャーシに伝わる振動を吸収する緩衝装置を備えている。緩衝装置は、ダンパおよび止め具を含む。ダンパは、本体および突起部を有している。本体および突起部は、ゴム状弾性体で一体に形成されている。本体は、カバーに支持されて、カバーとシャーシとの間に介在されるとともに一端に挿入口を有している。突起部は、本体の他端から突出された中空状であり、挿入口に連通するとともにシャーシを貫通した先端部を有する。止め具は、ダンパの挿入口から突起部内に挿入された弾性変形が可能なストッパ部を有する。ストッパ部は、突起部の先端部を弾性的に膨らませてシャーシに係合させるように構成されている。【選択図】図７
2012231084.tif 000002
【特許請求の範囲】
【請求項１】
電子モジュールを収容したシャーシと、
前記シャーシに取り付けられるカバーと、
前記カバーを前記シャーシに保持するとともに、前記カバーから前記シャーシに伝わる振動を吸収するように構成された緩衝装置と、を具備した電子機器であって、
前記緩衝装置は、
前記カバーに支持されて、前記カバーと前記シャーシとの間に介在されるとともに、一端に挿入口を有する本体と、前記本体の他端から突出され、前記挿入口に連通するとともに前記挿入口の反対側に位置された先端部が前記シャーシを貫通した中空状の突起部と、を含み、前記本体および前記突起部がゴム状弾性体で一体に形成されたダンパと、
前記ダンパの前記挿入口から前記突起部内に挿入され、前記突起部の前記先端部を弾性的に膨らませて前記シャーシに係合させる弾性変形が可能なストッパ部を有する止め具と、を備える電子機器。
【請求項２】
請求項１の記載において、前記ダンパの前記挿入口に嵌合され、前記止め具の前記ストッパ部が摺動可能に挿通される筒状の挿入ガイドをさらに備えている電子機器。
【請求項３】
請求項２の記載において、前記止め具の前記ストッパ部は、前記挿入ガイドを通り抜けて前記突起部の前記先端部内に突出された電子機器。
【請求項４】
請求項３の記載において、前記挿入ガイドは、前記本体の一端に重ね合わされたフランジ部を有する電子機器。
【請求項５】
請求項４の記載において、前記止め具は、前記フランジ部に突き当たる摘み部を有する電子機器。
【請求項６】
請求項５の記載において、前記突起部の前記先端部を前記止め具の前記ストッパ部で膨らませた時に、前記ダンパの前記本体が前記シャーシと前記止め具の前記摘み部との間で加圧される電子機器。
【請求項７】
筐体と、
前記筐体内に収容された電子モジュールと、
前記電子モジュールを前記筐体に保持するとともに、前記筐体から前記電子モジュールに伝わる振動を吸収するように構成された緩衝装置と、を具備し、
前記緩衝装置は、
前記電子モジュールに支持されて、前記電子モジュールと前記筐体との間に介在されるとともに、一端に挿入口を有する本体と、前記本体の他端から突出され、前記挿入口に連通するとともに前記挿入口の反対側に位置された先端部が前記筐体を貫通した中空状の突起部と、を含み、前記本体および前記突起部がゴム状弾性体で一体に形成されたダンパと、
前記ダンパの前記挿入口から前記突起部内に挿入され、前記突起部の前記先端部を弾性的に膨らませて前記筐体に係合させる弾性変形が可能なストッパ部を有する止め具と、を備える電子機器。
【請求項８】
請求項７の記載において、前記電子モジュールは、ケースと、前記ケース内に収容された水晶振動子と、を有し、前記ダンパの前記本体が前記ケースと前記筐体との間に介在された電子機器。
【請求項９】
請求項７又は請求項８の記載において、前記ダンパの前記挿入口に嵌合され、前記止め具の前記ストッパ部が摺動可能に挿通される筒状の挿入ガイドをさらに備えている電子機器。
【請求項１０】
第１の部品と第２の部品との間に介在された緩衝装置であって、
前記第１の部品に支持されて、前記第１の部品と前記第２の部品との間に介在されるとともに、一端に挿入口を有する本体と、前記本体の他端から突出され、前記挿入口に連通するとともに前記挿入口の反対側に位置された先端部が前記第２の部品を貫通した中空状の突起部と、を含み、前記本体および前記突起部がゴム状弾性体で一体に形成されたダンパと、
前記ダンパの前記挿入口から前記突起部内に挿入され、前記突起部の前記先端部を弾性的に膨らませて前記第２の部品に係合させる弾性変形が可能なストッパ部を有する止め具と、を備える緩衝装置。
【請求項１１】
請求項１０の記載において、前記ダンパの前記挿入口に嵌合され、前記止め具の前記ストッパ部が摺動可能に挿通される筒状の挿入ガイドをさらに備えている緩衝装置。
【請求項１２】
請求項１１の記載において、前記挿入ガイドは、前記本体の一端に重ね合わされたフランジ部を有する緩衝装置。
【請求項１３】
請求項１１の記載において、前記止め具の前記ストッパ部は、前記挿入ガイドを通り抜けて前記突起部の前記先端部内に突出された緩衝装置。
【請求項１４】
請求項１３の記載において、前記止め具は、前記フランジ部に突き当たる摘み部を有する緩衝装置。
【請求項１５】
請求項１４の記載において、前記突起部の前記先端部を前記止め具の前記ストッパ部で膨らませた時に、前記ダンパの前記本体が前記第２の部材と前記止め具の前記摘み部との間で加圧される緩衝装置。
【発明の詳細な説明】
【技術分野】
【０００１】
本発明の実施形態は、電子モジュールを収容したシャーシにフロントカバーを取り付けた電子機器および電子機器に用いる緩衝装置に関する。
【背景技術】
【０００２】
無線通信装置のような電子機器では、例えば水晶振動子のような振動に弱い電子モジュールを衝撃から保護するための対策が必要となる。このため、従来の電子機器では、電子モジュールとシャーシとの間およびフロントカバーとシャーシとの間に夫々ゴムダンパを介在させ、シャーシから電子モジュールに伝わろうとする振動をゴムダンパで吸収することが行われている。
【先行技術文献】
【特許文献】
【０００３】
【特許文献１】特開２００１−２０２７６９号公報
【発明の概要】
【発明が解決しようとする課題】
【０００４】
振動を吸収するゴムダンパは、一般にねじやカラーを用いてシャーシ側に固定されている。しかしながら、ねじおよびカラーは、シャーシに直結されているため、例えばフロントカバーに設置されたプッシュボタンを操作したり、あるいはシャーシをラックに搭載する時に外部からの強い衝撃力がねじに加わった場合、この衝撃力がゴムダンパで緩和されずにシャーシを経由して電子モジュールに伝わることがあり得る。
【０００５】
このため、電子モジュールを衝撃および振動から十分に保護する点において、今一歩改善の余地が残されている。
【課題を解決するための手段】
【０００６】
実施形態によれば、電子機器は、カバーからシャーシに伝わる振動を吸収するための緩衝装置を備えている。前記緩衝装置は、ダンパおよび止め具を含んでいる。  
前記ダンパは、本体および突起部を有している。前記本体および前記突起部は、ゴム状弾性体で一体に形成されている。前記本体は、前記カバーに支持されて、前記カバーと前記シャーシとの間に介在されるとともに一端に挿入口を有している。前記突起部は、前記本体の他端から突出された中空状であり、前記挿入口に連通するとともに前記シャーシを貫通した先端部を有する。  
前記止め具は、前記ダンパの前記挿入口から前記突起部内に挿入された弾性変形が可能なストッパ部を有する。前記ストッパ部は、前記突起部の前記先端部を弾性的に膨らませて前記シャーシに係合させるように構成されている。
【図面の簡単な説明】
【０００７】
【図１】第１の実施形態において、ラックに無線通信装置を搭載した状態を示す断面図。
【図２】図１の矢印Ｆ２の方向から見た無線通信装置の正面図。
【図３】図１の矢印Ｆ３の方向から見た無線通信装置の側面図。
【図４】第１の実施形態に用いるシャーシの正面図。
【図５】第１の実施形態に用いるフロントカバーの正面図。
【図６】第１の実施形態において、シャーシの前端に緩衝装置を介してフロントカバーを取り付けた状態を示す無線通信装置の断面図。
【図７】第１の実施形態に係る緩衝装置の断面図。
【図８】第１の実施形態において、止め具をダンパに挿入した状態を示す緩衝装置の断面図。
【図９】第１の実施形態に係る緩衝装置を分解して示す斜視図。
【図１０】第１の実施形態において、ダンパおよび挿入ガイドが取り付けられたフロントカバーとシャーシの開口部との位置関係を示す無線通信装置の断面図。
【図１１】第１の実施形態において、シャーシの開口部をフロントカバーで覆った状態を示す無線通信装置の断面図。
【図１２】第１の実施形態において、フロントカバーに取り付けたダンパに止め具を挿入した状態を示す無線通信装置の断面図。
【図１３】第２の実施形態において、ラックに無線通信装置を搭載した状態を示す断面図。
【図１４】図１３のＦ１４−Ｆ１４線に沿う断面図。
【発明を実施するための形態】
【０００８】
［第１の実施形態］
以下、第１の実施形態について、図１ないし図１２を参照して説明する。
【０００９】
図１および図２は、例えばキャビネットラックと称する箱形の架台１に搭載された無線通信装置２を開示している。
【００１０】
架台１は、例えば建屋の床面に据え付けられた四角い台座３と、台座３の四隅から垂直に起立された第１ないし第４の支柱４ａ，４ｂ，４ｃ，４ｄとを備えている。第１および第２の支柱４ａ，４ｂは、台座３の前端に位置されて、架台１の幅方向に間隔を存して並んでいる。第３および第４の支柱４ｃ，４ｄは、台座３の後端に位置されて、架台１の幅方向に間隔を存して並んでいる。
【００１１】
第１の支柱４ａおよび第２の支柱４ｂに夫々マウントフレーム５ａ，５ｂが固定されている。マウントフレーム５ａ，５ｂは、第１および第２の支柱４ａ，４ｂの高さ方向に沿って起立している。複数のねじ孔６がマウントフレーム５ａ，５ｂに形成されている。ねじ孔６は、マウントフレーム５ａ，５ｂの高さ方向に間隔を存して一列に並んでいる。
【００１２】
第１の支柱４ａと第３の支柱４ｃとの間および第２の支柱４ｂと第４の支柱４ｄとの間に夫々ガイドレール（図示せず）が架け渡されている。ガイドレールは、ねじ孔６の位置に対応するように架台１の奥行方向に水平に延びているとともに、架台１の幅方向に互いに向かい合っている。
【００１３】
第１ないし第４の支柱４ａ，４ｂ，４ｃ，４ｄは、架台１の外郭を構成する左右の側板、天板、背板および前扉を支持している。側板、天板、背板および前扉は、通信機器用のキャビネットラックでは周知の構成であり、いずれも図示を省略している。
【００１４】
前記無線通信装置２は、電子機器の一例である。無線通信装置２は、マウントフレーム５ａ，５ｂの間から架台１の内部の機器収容室７に挿入されて、前記ガイドレールで支持されている。
【００１５】
無線通信装置２は、金属製の筐体１０と、筐体１０の内部に収容された電子モジュール１１とを備えている。筐体１０は、シャーシ１２およびフロントカバー１３を有している。シャーシ１２は、底板１４、左右の側板１５ａ，１５ｂ、天板１６、背板１７および開口部１８を有する四角い箱形である。開口部１８は、底板１４の前縁、側板１５ａ，１５ｂの前縁および天板１６の前縁で規定された四角い開口形状を有している。
【００１６】
図１、図２および図４に示すように、一対のブラケット２０ａ，２０ｂがシャーシ１２の側板１５ａ，１５ｂの前端部に固定されている。ブラケット２０ａ，２０ｂは、夫々側板１５ａ，１５ｂの側方に向けて直角に張り出すとともに、シャーシ１２の高さ方向に延びている。一対の切り欠き２１がブラケット２０ａ，２０ｂに夫々形成されている。切り欠き２１は、ブラケット２０ａ，２０ｂの側縁に開口するように、ブラケット２０ａ，２０ｂの高さ方向に間隔を存して並んでいる。
【００１７】
ブラケット２０ａ，２０ｂは、切り欠き２１が所望の高さ位置にあるねじ孔６と合致するように、マウントフレーム５ａ，５ｂの前面に重ね合わされている。複数の止めねじ２２が切り欠き２１を通じてねじ孔６にねじ込まれている。このねじ込みにより、筐体１０のシャーシ１２がマウントフレーム５ａ，５ｂに固定されている。
【００１８】
図４および図６に示すように、側板１５ａ，１５ｂの前端縁に夫々フランジ部２４が形成されている。フランジ部２４は、側板１５ａ，１５ｂの前端縁から開口部１８に向けて直角に折り曲げられているとともに、シャーシ１２の高さ方向に延びている。
【００１９】
フランジ部２４の上端および下端に夫々円形の嵌合孔２５が形成されている。嵌合孔２５は、シャーシ１２の開口部１８の四隅に位置されて、シャーシ１２の前端に露出されている。
【００２０】
前記フロントカバー１３は、シャーシ１２の前端に取り付けられて、開口部１８を閉塞している。フロントカバー１３は、フロントパネル２６を有している。フロントパネル２６は、開口部１８に対応した大きさを有する四角い板である。四つの取付孔２７がフロントパネル２６に形成されている。取付孔２７は、シャーシ１２の嵌合孔２５に対応するようにフロントパネル２６の四隅に位置されている。
【００２１】
さらに、フロントパネル２６の外周縁に周壁部２８が形成されている。周壁部２８は、フロントパネル２６の外周縁からシャーシ１２の前端に向けて直角に折り曲げられて、シャーシ１２の前端部を取り囲んでいる。
【００２２】
前記電子モジュール１１は、ケース３０と、ケース３０に収容された水晶振動子３１とを備えている。水晶振動子３１は、外部から加わる衝撃に対し弱い受動素子であり、ケース３０で保護されている。さらに、第１の実施形態では、ケース３０が複数のゴムダンパ３２を介してシャーシ１２の底板１４の上に保持されている。ゴムダンパ３２は、シャーシ１２から電子モジュール１１に伝わろうとする外部からの衝撃や振動を吸収する。
【００２３】
そのため、第１の実施形態では、電子モジュール１１は、シャーシ１２に対し浮動的に保持されている。
【００２４】
図１および図２に示すように、一対のプッシュボタン３３がフロントパネル２６に支持されている。プッシュボタン３３は、例えば電子モジュール１１の出力を調整するためのものであり、オペレータが手の指先で押圧できるようにフロントパネル２６の前面に露出されている。
【００２５】
図２、図６〜図９に示すように、フロントカバー１３は、四つの緩衝装置３５を用いてシャーシ１２の前端に浮動的に保持されている。緩衝装置３５は、フロントパネル２６の四隅とシャーシ１２のフランジ部２４との間に介在されている。
【００２６】
各緩衝装置３５は、ダンパ３６、カラー３７および止め具３８を備えている。ダンパ３６は、本体４０と突起部４１とを有している。本体４０および突起部４１は、柔軟なゴム状弾性体で一体に形成されている。
【００２７】
本体４０は、中空の円筒状であり、その直径がフロントパネル２６の取付孔２７の直径よりも大きく形成されている。本体４０は、第１の面４２ａ、第２の面４２ｂ、外周面４３および貫通孔４４を有している。
【００２８】
第１の面４２ａは、本体４０の一端に位置されている。第２の面４２ｂは、第１の面４２ａの反対側となる本体４０の他端に位置されている。外周面４３は、第１の面４２ａと第２の面４２ｂとの間を結んでいる。
【００２９】
貫通孔４４は、本体４０を同軸状に貫通して第１の面４２ａの中央部および第２の面４２ｂの中央部に開口されている。第１の面４２ａに位置された貫通孔４４の開口端は、止め具３８が挿入される挿入口４５を構成している。
【００３０】
さらに、本体４０の外周面４３に嵌合溝４６が形成されている。嵌合溝４６は、本体４０の周方向に連続している。そのため、本体４０をフロントパネル２６の取付孔２７に押し込むと、取付孔２７を規定するフロントパネル２６の縁に嵌合溝４６が弾性的に引っ掛かる。これにより、本体４０がフロントパネル２６に保持されている。
【００３１】
ダンパ３６の突起部４１は、本体４０の貫通孔４４に連通された中空の円筒状である。突起部４１は、本体４０の第２の面４２ｂからシャーシ１２のフランジ部２４に向けて同軸状に突出されて、フランジ部２４の嵌合孔２５を貫通している。突起部４１の先端部は、端壁４１ａで閉じられているとともに、フランジ部２４の裏側に突出されている。
【００３２】
したがって、第１の実施形態では、フロントカバー１３が第１の部品の一例であり、シャーシ１２が第２の部品の一例となっている。
【００３３】
カラー３７は、挿入ガイドの一例であって、例えばダンパ３６よりも硬質な合成樹脂又は金属で構成されている。カラー３７は、本体４０の貫通孔４４に嵌合されて、貫通孔４４の内周面を覆っている。カラー３７は、一端にフランジ部４７を有している。フランジ部４７は、本体４０の第１の面４２ａの上に重ね合わされて、本体４０の一端に引っ掛かっている。
【００３４】
図８および図９に示すように、止め具３８は、軸部５０、摘み部５１およびストッパ部５２を備えている。軸部５０は、例えば中空の円筒状であり、本体４０の挿入口４５からカラー３７の内側に挿入されている。
【００３５】
摘み部５１は、軸部５０よりも大径な円盤状であり、軸部５０の一端に同軸状に設けられている。ストッパ部５２は、止め具３８の先端となる軸部５０の他端に設けられている。
【００３６】
ストッパ部５２は、弾性変形が可能な複数の押圧片５３を有している。押圧片５３は、軸部５０の他端から軸部５０の軸方向に延びているとともに、軸部５０の周方向に間隔を存して並んでいる。言い換えると、押圧片５３は、軸部５０の他端に軸部５０の軸方向に沿う複数のスリットを形成することで、軸部５０の他端に一体に形成されている。
【００３７】
押圧片５３は、夫々軸部５０の径方向に沿う外側に向けて張り出すように円弧状に湾曲されているとともに、軸部５０の径方向に沿う内側に向けて弾性変形が可能となっている。そのため、ストッパ部５２が自由な状態にある時は、押圧片５３が軸部５０の外周面よりも軸部５０の径方向外側に張り出している。
【００３８】
このような止め具３８は、ストッパ部５２を先頭にした向きでカラー３７の内側に挿入される。この挿入により、ストッパ部５２の押圧片５３がカラー３７の内周面に摺動可能に接触して、軸部５０の径方向内側に向けて弾性的に変形する。そのため、摘み部５１を手の指先で押圧することで、カラー３７をガイドとしてストッパ部５２および軸部５０をダンパ３６の貫通孔４４に差し込むことができる。
【００３９】
ストッパ部５２がカラー３７を通り抜けてダンパ３６の突起部４１の内側に到達すると、押圧片５３がカラー３７から解放される。このため、押圧片５３が本来の形状に復帰して、突起部４１の先端部を内側から弾性的に押し広げる。
【００４０】
すなわち、図７に示すように、押圧片５３が軸部５０の外周面よりも軸部５０の径方向外側に円弧状に張り出すので、突起部４１の先端部が略紡錘形に膨らむ。膨らんだ突起部４１の先端部は、嵌合孔２５を規定するフランジ部２４の縁に引っ掛かる。この結果、止め具３８がダンパ３６に対し固定され、止め具３８をダンパ３８の貫通孔４４から引き抜くことができなくなる。
【００４１】
さらに、突起部４１の先端部がストッパ部５２の押圧片５３によって押し広げられると、摘み部５１がカラー３７のフランジ部４７に突き当たる。これにより、ダンパ３６の本体４０が摘み部５１と膨らんだ突起部４１との間で挟み込まれて、本体４０の第２の面４２ｂがシャーシ１２のフランジ部２４に押し付けられる。
【００４２】
この結果、フロントパネル２６に保持されたダンパ３６の本体４０がシャーシ１２のフランジ部２４と止め具３８の摘み部５１との間で加圧されて、フロントカバー１３がダンパ３６を介してシャーシ１２に弾性的に保持される。
【００４３】
次に、緩衝装置３５を用いてシャーシ１２の前端にフロントカバー１３を取り付ける手順について説明する。
【００４４】
まず、図１０に示すように、フロントパネル２６の四つの取付孔２７に夫々ダンパ３６の本体４０を嵌め込んで固定し、ダンパ３６の突起部４１をシャーシ１２の方向に向ける。この後、本体４０の貫通孔４４にカラー３７を嵌め込んで、カラー３７のフランジ部４７を本体４０の第１の面４２ａに重ね合わせる。
【００４５】
次に、図１１に示すように、フロントカバー１３をシャーシ１２の前端部に被せる。これにより、ダンパ３６の突起部４１がシャーシ１２の嵌合孔２５に嵌まり込むとともに、本体４０の第２の面４２ｂがシャーシ１２のフランジ部２４に接触する。
【００４６】
引き続いて、図１２に示すように、ダンパ３６に嵌め込まれたカラー３７の内側にストッパ部５２を先頭にした向きで止め具３８の軸部５０を挿入する。止め具３８の摘み部５１がカラー３７のフランジ部４７に突き当たると、ストッパ部５２がカラー３７を通り抜けてダンパ３６の突起部４１の内側に達する。これにより、ストッパ部５２の押圧片５３が本来の形状に拡開し、突起部４１の先端部を内側から弾性的に押し広げる。
【００４７】
この結果、突起部４１の先端部が略紡錘形に膨らんで、シャーシ１２のフランジ部２４に引っ掛かる。したがって、フロントカバー１３がダンパ３６を介してシャーシ１２に弾性的に保持され、シャーシ１２に対するフロントカバー１３の取り付けが完了する。
【００４８】
第１の実施形態によると、ゴム状弾性体で形成された四つのダンパ３６がフロントカバー１３のフロントパネル２６とシャーシ１２のフランジ部２４との間に介在されている。このため、例えばフロントカバー１３をシャーシ１２に取り付けた時、あるいはフロントパネル２６のプッシュボタン３３を操作した時に、フロントカバー１３からシャーシ１２に伝わろうとする衝撃力をダンパ３６で吸収することができる。  
しかも、止め具３８の軸部５０は、ダンパ３６の本体４０の内側に挿入され、止め具３８のストッパ部５２は、ダンパ３６の突起部４１の内側に挿入されている。すなわち、フロントカバー１３とシャーシ１２との間に跨る止め具３８の軸部５０およびストッパ部５２がダンパ３６で全面的に覆われているので、止め具３８がフロントカバー１３およびシャーシ１２に直に接することはない。
【００４９】
そのため、たとえフロントパネル２６の前面に露出された止め具３８の摘み部５１に過大な衝撃力が加わったとしても、この衝撃力をダンパ３６で吸収して緩和することができる。よって、フロントカバー１３あるいは止め具３８に加わる衝撃がシャーシ１２に直に伝わるのを防止でき、水晶振動子３１を内蔵した電子モジュール１１を衝撃および振動から確実に保護することができる。
【００５０】
加えて、第１の実施形態によると、止め具３８をダンパ３６に押し込むだけの単純な作業でフロントカバー１３をシャーシ１２の前端部に保持することができる。このため、フロントカバー１３をシャーシ１２に簡単に取り付けることができ、無線通信装置２の組み立て作業を容易に行うことができる。
【００５１】
［第２の実施形態］
図１３および図１４は、第２の実施形態を開示している。
【００５２】
第２の実施形態は、電子モジュール１１をシャーシ１２の底板１４に弾性的に保持するための構成が第１の実施形態と相違している。これ以外の架台１および無線通信装置２の構成は、第１の実施形態と同様である。そのため、第２の実施形態において、第１の実施形態と同一の構成部分には同一の参照符号を付して、その説明を省略する。
【００５３】
第２の実施形態では、電子モジュール１１のケース３０が第１の部品の一例であり、シャーシ１２が第２の部品の一例となっている。
【００５４】
図１３および図１４に示すように、電子モジュール１１のケース３０は、四角い底壁６１を有している。底壁６１の四つの角部に夫々支持片６２が形成されている。支持片６２は、シャーシ１２の底板１４と向かい合うとともに、夫々取付孔６３を有している。
【００５５】
さらに、シャーシ１２の底板１４は、支持片６２に対応する位置に嵌合孔６４を有している。嵌合孔６４は、支持片６２の取付孔６３と合致している。
【００５６】
電子モジュール１１のケース３０は、第１の実施形態と同様の構成を有する四つの緩衝装置３５を用いてシャーシ１２の底板１４の上に浮動的に保持されている。
【００５７】
緩衝装置３５を構成するダンパ３６の本体４０は、その直径が支持片６２の取付孔６３の直径よりも大きく形成されている。本体４０は、支持片６２の取付孔６３に押し込まれている。この押し込みにより、取付孔６３を規定する支持片６２の縁に本体４０の嵌合溝４６が弾性的に引っ掛かり、本体４０がケース３０の支持片６２に保持されている。
【００５８】
ダンパ３６の突起部４１は、本体４０の第２の面４２ｂからシャーシ１２の底板１４に向けて同軸状に突出されて、底板１４の嵌合孔６４を貫通している。突起部４１の先端部は、底板１４の下方に突出されている。
【００５９】
緩衝装置３５の止め具３８は、ストッパ部５２を先頭にした向きでカラー３７の内側に挿入されている。この挿入により、ストッパ部５２の押圧片５３がカラー３７の内周面に摺動可能に接触して、軸部５３の径方向内側に向けて弾性的に変形する。そのため、摘み部５１を手の指先で押圧することで、カラー３７をガイドとしてストッパ部５２および軸部５０をダンパ３６の貫通孔４４に差し込むことができる。
【００６０】
ストッパ部５２がカラー３７を通り抜けてダンパ３６の突起部４１の内側に到達すると、押圧片５３がカラー３７から離脱する。これにより、押圧片５３が本来の形状に復帰して、突起部４１の先端部を内側から弾性的に押し広げる。すなわち、図１４に示すように、突起部４１の先端部が略紡錘形に膨らんで、嵌合孔６４を規定する底板１４の縁に引っ掛かる。
【００６１】
さらに、突起部４１の先端部がストッパ部５２の押圧片５３によって押し広げられると、摘み部５１がカラー３７のフランジ部４７に突き当たる。これにより、支持片６２に保持されたダンパ３６の本体４０がシャーシ１２の底板１４と止め具３８の摘み部５１との間で加圧されて、電子モジュール１１のケース３０がダンパ３６を介してシャーシ１２に弾性的に保持される。
【００６２】
第２の実施形態によると、ゴム状弾性体で形成された四つのダンパ３６が電子モジュール１１のケース３０とシャーシ１２の底板１４との間に介在されている。このため、シャーシ１２から電子モジュール１１に伝わろうとする振動あるいは衝撃をダンパ３６で吸収することができる。  
しかも、ケース３０の支持片６２とシャーシ１２の底板１４との間に跨る止め具３８の軸部５０およびストッパ部５２がダンパ３６で全面的に覆われているので、止め具３８がケース３０およびシャーシ１２に直に接することはない。
【００６３】
そのため、たとえ底板１４の上に露出された止め具３８の摘み部５１に過大な衝撃力が加わったとしても、この衝撃力をダンパ３６で吸収して緩和することができる。したがって、シャーシ１２の底板１４あるいは止め具３８に加わる衝撃がケース３０に直に伝わるのを防止でき、水晶振動子３１を内蔵した電子モジュール１１を衝撃および振動から確実に保護することができる。
【００６４】
加えて、止め具３８をダンパ３６に押し込むだけの単純な作業で電子モジュール１１のケース３０をシャーシ１２の底板１４の上に保持することができる。このため、電子モジュール１１をシャーシ１２に簡単に組み込むことができ、無線通信装置２の組み立て作業を容易に行うことができる。
【００６５】
緩衝装置は、シャーシとフロントカバーとの連結部分および電子モジュールとシャーシとの連結部分に用いることに限らない。例えば動作中に振動を伴うファンと筐体との連結部分に緩衝装置を適用してもよい。この場合は、ファンが第１の部品の一例であり、ファンを支持する筐体が第２の部品の一例となる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１０…筐体、１１…電子モジュール、１２…シャーシ（第２の部品）、１３…カバー（フロントカバー、第１の部品）、３０…ケース（第１の部品）、３５…緩衝装置、３６…ダンパ、３８…止め具、４０…本体、４１…突起部、４５…挿入口、５２…ストッパ部。
【図１】
2012231084.tif 000003
【図２】
2012231084.tif 000004
【図３】
2012231084.tif 000005
【図４】
2012231084.tif 000006
【図５】
2012231084.tif 000007
【図６】
2012231084.tif 000008
【図７】
2012231084.tif 000009
【図８】
2012231084.tif 000010
【図９】
2012231084.tif 000011
【図１０】
2012231084.tif 000012
【図１１】
2012231084.tif 000013
【図１２】
2012231084.tif 000014
【図１３】
2012231084.tif 000015
【図１４】
2012231084.tif 000016